(57)【要約】本発明の目的は、数個の加熱可能なヘアカッティングツールを用いた作業を容易にすることである。該目的は、加熱可能なヘアカッティングツールのためのコントローラによって成し遂げられる。電源回路装置（３）は、アキュムレータ（２）および接続デバイス（４）と共に、可動片において一体化され、接続デバイス（４）は、数個の加熱可能なヘアカッティングツールを接続するように形成されている。コネクタ（５、６）は、各ヘアカッティングツールに対して設けられ、これにより、ヘアカッティングツールを加熱するための電源回路装置（３）からの電流が供給される。
2004524939.tif 000002
【特許請求の範囲】
【請求項１】
少なくとも１つの加熱可能な美容師用カッティングツールのための制御装置であって、
電気エネルギーを供給する手段と、
コントローラと、
少なくとも１つの所定の動作パラメータ、特に、前記美容師用カッティングツールの目標温度を入力する手段と、
加熱電流を供給する電源回路デバイスと、
前記少なくとも１つの美容師用カッティングツールを加熱するために、前記少なくとも１つの加熱可能な美容師用カッティングツールが接続され、前記電源回路からの電気エネルギーを渡すインターフェースデバイスと、
前記少なくとも１つの美容師用カッティングツールの実際の温度に割り当てられる電気信号を検出する手段とを備え、
前記コントローラは、前記所定の目標温度に応じて、前記電源回路デバイスを活性化して前記加熱電流を供給させ、前記電気エネルギーを供給する手段および前記インターフェースデバイス（４）は、前記加熱可能なカッティングツールとは別個の携帯型可動ユニットに一体化された制御装置であって、
前記電源回路デバイス（３）は、前記可動ユニットに一体化され、前記インターフェースデバイス（４）は、数個の加熱可能な美容師用カッティングツールを接続するように設計され、各美容師用カッティングツールに対して接続デバイス（５、６）が設けられ、前記接続デバイス（５、６）を介して、前記各美容師用カッティングツールを加熱するための電流が前記電源回路デバイス（３）から渡されることを特徴とする制御装置。
【請求項２】
前記電気エネルギーを供給する手段は、蓄電池として設計され、前記コントローラ（７）は、前記実際の温度に応じて、前記関連した美容師用カッティングツール用の前記加熱電流を調整し、前記美容師用カッティングツールに割り当てられる目標温度を設定することを特徴とする請求項１記載の制御装置。
【請求項３】
前記制御装置（１）全体は、携帯型可動ユニットとして設計される請求項１または２記載の制御装置。
【請求項４】
エアインターフェース、特に、無線インターフェースを介して前記可動ユニットと通信する固定ユニットを備え、前記電源回路を制御するためのデータが、前記固定ユニットから前記可動ユニットに前記無線インターフェースを介して送信されることを特徴とする請求項１または２記載の制御装置。
【請求項５】
美容師用カッティングツールの温度に関するデータが、前記無線インターフェースを介して、前記可動ユニットから前記固定ユニットに送信されることを特徴とする請求項４記載の制御装置。
【請求項６】
前記実際の温度に関連する信号が、前記各接続デバイス（５、６）を介して、前記各美容師用カッティングツールから渡されることを特徴とする請求項１から５のいずれか一項記載の制御装置。
【請求項７】
前記加熱電流を前記接続デバイス（５、６）の１つに切り替えるスイッチングデバイスを備えたことを特徴とする請求項６記載の制御装置。
【請求項８】
前記接続デバイス（５、６）は、特に、加熱電流および前記実際の温度に関連する信号を通過させる単一の電気リード線を有する単一のコネクタを備えたことを特徴とする請求項１から７のいずれか一項記載の制御装置。
【請求項９】
前記可動ユニットは、ホルスターのベルトに取り付けるための留め具を備えたことを特徴とする請求項１から８のいずれか一項記載の制御装置。
【請求項１０】
前記目標温度の加熱段階および／または到達を、前記各美容師用カッティングツールに対して示す指示器を備えたことを特徴とする請求項１から９のいずれか一項記載の制御装置。
【請求項１１】
前記インターフェースを介して通過する前記加熱電流および／または前記インターフェースにおける電圧を検出する手段を備えたことを特徴とする請求項１から１０のいずれか一項記載の制御装置。
【請求項１２】
前記インターフェースに接続された前記カッティングツールの抵抗値を検出する手段を備え、接続されるカッティングツールのタイプが、検出された抵抗値の関数として判定されることを特徴とする請求項１から１１のいずれか一項記載の制御装置。
【請求項１３】
前記インターフェースを介して通過する電力を検出する手段を備えたことを特徴とする請求項１から１２のいずれか一項記載の制御装置。
【請求項１４】
少なくとも１つの加熱可能な美容師用カッティングツールが接続され、前記美容師用カッティングツールを加熱するための電気エネルギーを通過させるインターフェースデバイスを用いて、前記少なくとも１つの加熱可能な美容師用カッティグツールのための制御装置を動作させる、特に、請求項１から１３のいずれか一項記載の制御装置を動作させる方法であって、
前記インターフェースデバイス（４）を介して通過する電流、および／または電圧を検出し、数個の加熱可能な美容師用カッティングツールに、単一の電源回路によって加熱電流を供給し、前記美容師用カッティングツールの１つに、任意の時点において、前記各カッティングツールに割り当てられた加熱電流を供給する、または前記美容師用カッティングツールのいずれにも加熱電流を供給しないことを特徴とする方法。
【請求項１５】
前記インターフェースの出力抵抗値を判定することを特徴とする請求項１４記載の方法。
【請求項１６】
格納された抵抗値と前記判定された抵抗値の比較に応じて、所定のカッティングツールに割り当てられた所定の動作パラメータを設定する請求項１５記載の方法。
【請求項１７】
前記ケーブル内に放散される電力を考慮するために、前記インターフェースに接続されたケーブルの抵抗値を判定し、前記所定の動作パラメータは、前記ケーブルの抵抗値に適応されることを特徴とする請求項１６記載の方法。
【請求項１８】
前記美容師用カッティングツールには、それぞれ、目標温度が割り当てられ、前記接続された美容師用カッティングツールの実際の温度を判定し、少なくとも１つの美容師用カッティングツールの温度が前記目標温度よりも所定値だけ低い場合、加熱電流を、前記各目標温度からの最大の瞬間偏差を示す美容師用カッティングツールに供給することを特徴とする請求項１４から１７のいずれか一項記載の方法。
【請求項１９】
前記蓄電池電圧が所定の第１の値だけ所定の最小電圧よりも低下した場合、音響および／または光信号を出力し、前記蓄電池電圧が所定の第２の値だけ低下した場合、前記制御装置（１）のソフトウェアを非活性化し、前記蓄電池電圧が所定の第３の値だけ低下した場合、前記制御装置（１）のハードウェアを非活性化することを特徴とする請求項１４から１８のいずれか一項記載の方法。
【発明の詳細な説明】
【技術分野】
【０００１】
本発明は、請求項１の包括部に記載されているような少なくとも１つの加熱可能な美容師用カッティングツール用の制御装置、およびその動作方法に関する。
【背景技術】
【０００２】
従来のヘアカットでは、毛髪の先端が開口し、これにより多活セメント物質が乾燥して、内側から生成される毛髪の水分および栄養物質が分泌し、その結果、カットされた毛髪は、保護されないまま有害な環境による影響を受け、最終的には、その艶、量、および弾力性を失ってしまうことが知られている。
【０００３】
毛髪をカットする際のこのような不都合を避けるために、毛髪の先端をシールすることが従来技術において知られている。これは、加熱されたはさみを用いてヘアカットを行うことによって成し遂げられ、これにより、カットされた毛髪はそれぞれカット面でシールされ、ほぼ元の状態に回復される。この方法では、可動または固定スタンド上に設けられた制御装置と、長いケーブルを介して制御装置に接続されたヘアカット用はさみ、ヘアスタイリング用はさみ、またはカミソリなどの加熱可能な美容師用カッティングツールとを備える装置が既知である。
【発明の開示】
【発明が解決しようとする課題】
【０００４】
美容師は、毛髪をカットしている間、頻繁に位置を変更しなければならないため、ケーブルが適切についてこなくてはならず、このため、装置の扱いがますます困難になる。さらに、ケーブルが床の上に配置されていると、つまずく危険があり、これにより、装置は損傷し、または美容師および顧客の両方がけがをする可能性がある。
【０００５】
市販の美容師用カッティングツールでは、はさみは、加熱電流を設定し、別個のハウジングに設けられ、一体化されたクリップにより美容師の胸ポケットまたはベルトに取り付けることが可能な電源回路にケーブルを介して接続されている。電源回路自体は、もう１つのケーブルを有し、加熱電流を供給するための電源ユニットに接続されている。このことは、加熱可能な刃を有するこの種のはさみを用いても、同様に、上記の不都合が生じることを意味する。
【０００６】
さらに、ＤＥ２００  ０６  ７７６には、電源回路および電源ユニットがはさみ自体に一体化された、一対のはさみの形態である電気的に加熱可能なカッティング素子が開示されている。このため、はさみには、１つのグリップ穴の領域にバッテリーまたは蓄電池を収容するためのハウジングが設けられている。このハウジングにより、はさみの長さは少なくとも５０％長くなる。さらに、バッテリーまたは蓄電池の重量は、はさみだけの重量よりも数倍大きいため、このような形状のはさみの使用には、慣れが必要であり、長期にわたる場合には非実用的である。
【０００７】
電気的に加熱可能なカッティング器具は、ＤＥ２００  １３  ５０３Ｕ１から既知であり、この器具は、ピボットを介して連接形態で互いに接続され、それぞれが、グリップエリアとカッティングエリアとを有する２つの脚部、および電源ユニットを備え、商用電源とは独立した蓄電池などの電源は、１つの脚部のグリップエリアに接続される。蓄電池は、脚部に直接装着されるか、またはカッティング器具のユーザがポケットに入れて携帯するポケットタイプの蓄電池として設計され、カッティング器具および蓄電池は、ケーブルを介して接続されている。また、カッティング器具の脚部には、加熱電流を調整するための電子温度分析器が装着されている。
【０００８】
本発明の目的は、加熱可能な美容師用カッティングツールを用いた作業を容易にすることである。
【課題を解決するための手段】
【０００９】
本発明は、この目的を、請求項１に記載の特徴を有する制御装置、および請求項１４に記載の特徴を有するこの種の制御装置の動作方法によって達成する。
【００１０】
従って、少なくとも１つの加熱可能な美容師用カッティングツール用の本発明による制御装置は、電気エネルギーを供給する手段と、制御デバイスと、記憶デバイスと、少なくとも１つの所定の動作パラメータを入力する手段と、加熱電流を供給する電源回路と、少なくとも１つの加熱可能な美容師用カッティングツールを接続することができ、電源回路からの電流を流すことができるインターフェースデバイスと、少なくとも１つの美容師用カッティングツールの実際の温度に割り当てることができる電気信号を検出する手段とを備える。制御デバイスは、加熱電流を供給するために、美容師用カッティングツールの所定の目標温度に応じて電源回路を駆動させる。美容師がさらに自由に移動することができ、けがまたは装置への損傷の危険を防止するため、少なくとも電気エネルギーを供給する手段、電源回路デバイス、および加熱可能なカッティングツールとは別個の携帯型可動ユニットに一体化されるインターフェースデバイスが設けられている。加熱可能な美容師用カッティングツールを用いた作業を容易にするため、本発明は、数個の加熱可能な美容師用カッティングツールを接続するように設計されたインターフェースデバイスを提供し、接続デバイスは、各美容師用カッティングツールに対して設けられ、この接続デバイスを介して電流を、各美容師カッティングツールを加熱するために、電源回路デバイスから流すことができる。
【００１１】
本発明は、数個の美容師用カッティングツールが、それぞれに対して別個の制御装置を必要とすることなく、同時に動作できるという点で、加熱可能な美容師用カッティングツールを用いた作業をよりフレキシブルなものにするという概念に基づいている。
【００１２】
このことは、数個の美容師用カッティングツールを接続するように設計された制御装置によって成し遂げられる。これにより、例えば、はさみ、スタリング用はさみ、およびカミソリなどの、ヘアカットに用いられるすべての美容師用カッティングツールが、美容師の動きの自由が追加のツールによって制限されずに、加熱可能な設計とされる。美容師用カッティングツールは、美容師が例えばベルト上またはホルスター内に装着する可動ユニット上のインターフェースデバイスに接続されるため、美容師の動きの自由は、美容師が従来のはさみを用いて作業を行う状況に匹敵するものである。この場合、ホルスターには、携帯ストラップまたはベルトファスナを設けることができる。
【００１３】
本発明に従って設計された制御装置により、美容師は、制御装置の固定部から厄介な切り離しを行うことなく、意のままに１つの作業場から他の作業場へと移動できるため、数個の加熱可能な美容師用カッティングツールを用いる際、これまで知られていなかった移動の自由が与えられる。このように、例えば、美容師は、加熱可能な美容師用カッティングツールを一旦置くかまたは切り替える必要なく、１つのヘアカッティングジョブから他の顧客へと移動できる。いずれにしても、ヘアサロンにおいて要求される美容師用カッティングツールはすべて、単一の制御装置で確実に動作することができるため、上記のように、美容師は、サロンにおいてさらに自由に、どこに移動しても必要なツールを持ちまわることができる。本発明の実施形態によると、制御装置全体を可動ユニットに一体化することも可能である。この場合、加熱可能な美容師用カッティングツールは、あまりスペースのない小さなビジネス用敷地内でも用いることができ、またはすべての電気デバイスが携帯型の可動ユニットに収容されているため、例えば、高齢者施設もしくは病院における顧客を訪問することが特に容易になる。一般的に言うと、この装置は、予め充電しておけば商用電源から完全に独立しているため、商用電源に接続されることなく様々な場所で用いられる。
【００１４】
本発明の好ましい実施形態は従属項に記載されている。
【００１５】
可動ユニットのサイズおよび重量を制限するために、エアインターフェース（特に、無線インターフェース）を介して可動ユニットと通信する固定ユニット内に、制御装置の特定の部品を設けてもよい。この場合、電源回路を制御するためのデータは、エアインターフェースを介して、固定ユニットから可動ユニットへ送信される。温度を制御するために、可動ユニットから固定ユニットへ無線インターフェースを介して美容師用カッティングツールの温度に関するデータを送信してもよい。
【００１６】
固定ユニットは、可動ユニットに一体化される必要はないが、本発明による制御装置の使用を容易にするすべてのデバイスを収容することができる。これは、例えば、入力デバイス、表示デバイス、およびＰＣインターフェースに関連し、これらを介して、例えば、ツール専用データ、サービスデータ、顧客データ、または他の動作パラメータが、固定ユニット内のＥＥＰＲＯＭにロードされる。これにより、顧客管理システムを作成することもでき、カッティング温度などの顧客専用データが、検索可能な形態で固定ユニットに格納される。
【００１７】
エアインターフェースはまた、赤外線インターフェースとして設計されてもよい。赤外線インターフェースは、可動ユニットと固定ユニットとの間にデータリンクを確立するために光学的コンタクトを必要とする。しかし、赤外線インターフェースは、コストおよびユーザの電磁放射線への被爆に関して、無線インターフェースよりも好ましい。いずれにせよ、数個の可動ユニットを制御するために、固定ユニットを設けることもできる。
【００１８】
ツールと制御装置との間に多数のリード線が必要とならないようにするため、数個の美容師用カッティングツールを本発明による制御装置に接続する代わりに、加熱電流だけでなく、実際の温度に関連する信号を、美容師用カッティングツールから美容師用カッティングツールの各接続デバイスを介して制御装置に送信するようにしてもよい。本発明によれば、インターフェースデバイスまたは接続デバイスは、例えば、プラグ−コンセント接続の形態、またはクランプ接続もしくははんだ接続の形態でも設計される。
【００１９】
数個の美容師用カッティングツールを動作させるための数個の電源回路を可動ユニットに一体化する必要がないように、電源回路によって供給される加熱電流を、スイッチングデバイスによって、数個の接続デバイスの１つに切り替えるようにしてもよい。この場合、単一の接続デバイスは、加熱電流および実際の温度に関連する信号が、コネクタを介して同時に渡されるように、コネクタとして設計される。
【００２０】
可動ユニットが、関連のベルトまたはホルスターに取り付けるための留め具を備えることによって、美容師は可動ユニットを簡単に装着でき、本発明による制御装置の取り扱いは容易になる。
【００２１】
加熱可能な美容師用カッティングツールの加熱段階または目標温度への到達を示すために、本発明による制御装置は、加熱段階を示すための赤色ＬＥＤ、および目標温度に到達するための緑色ＬＥＤなどの、光学的指示器を有することが可能である。しかし、目標温度および実際の温度をディスプレイ上に表示してもよい。
【００２２】
数個の加熱可能な美容師用カッティングツールが本発明による制御装置に接続される場合、上記のセレクタスイッチは、その時点で加熱を必要とする美容師用カッティングツールに電源回路の各加熱電流を切り替えるために用いられる。これにより、さらなる電源回路が節約され、その結果、重量が低減される。セレクタスイッチおよび電源回路デバイスが、１つの入力、数個の出力、および固定位置を表示する単一のデバイスに一体化されていると特に有利である。この場合、少なくとも１つの美容師用カッティングツールの温度が目標温度よりも所定値だけ下回ると、加熱電流は、各目標温度から瞬間的に最大の偏差を示す美容師用カッティングツールに供給される。他のオプションの加熱方法では、１つの特定のカッティングツールの加熱を、他のカッティングツールの加熱よりも優先させることができる。これは、最初に指定されたカッティングツールは常に最初に目標温度に加熱されることを意味する。さらに、この第１のカッティングツールが目標温度未満になって加熱される場合でも、第２のカッティングツールに対して、所定期間内の最小の加熱時間が保証され、それにより、第１のカッティングツールの状態に関係なく、第２のカッティングツールは、少なくとも最小の加熱時間だけ加熱される。
【００２３】
本発明による制御装置は、接続された美容師用カッティングツールに自動的に調整されるか、または制御装置とカッティングツールとの間の異なるケーブル長を自動的に考慮するために、インターフェースを介して渡される加熱電流、および／またはインターフェースに含まれる電圧を検出するための手段を設けてもよい。この場合、用いられるケーブルの抵抗値を含むインターフェースに接続されるカッティングツールの抵抗値が、加熱電流および電圧を判定することによって確認され、この結果、異なる美容師用カッティングツールおよび使用可能なケーブルの抵抗値が適切に等級付けられると、接続されたカッティングツールおよび用いられるケーブルに応じた分別をすることができる。このように、特定の美容師用カッティングツールは、一方では、専用の動作パラメータを用いて、接続されたケーブルも考慮して加熱され、このことは、ケーブルに関係なく、すべてのカッティングツールが加熱されることを意味する。さらに、適切な抵抗値測定デバイスにより、カッティングツールを接続するために用いられるケーブルを含む、接続されたカッティングツールの抵抗値を直接測定し、上記のように、特定の美容師用カッティングツールの専用の加熱パラメータを設定することも可能である。
【００２４】
他方、カッティングツールの温度を検出するための温度センサを節約するため、カッティングツールの温度を、熱抵抗を測定することにより判定してもよい。このため、カッティングツールは、熱抵抗をカッティングツールの温度の関数として決定し、その値を保存することによって、使用前に較正される。使用中、抵抗値を測定することによって、現在の温度に関する結果が引き出される。
【００２５】
さらに、加熱電流を測定することによっても、動作中のケーブル切断を検出して示すことができる。
【００２６】
しかし、接続された美容師用カッティングツールに、必要に応じて割り当てられた加熱電流が連続して供給されてもよく、この場合、所定の制限内で割り当てられた目標温度に到達した美容師用カッティングツールは省かれる。
【００２７】
蓄電池デバイスのサービス寿命を延ばすために、蓄電池の電圧が所定の第１の値を下回って低下すると音響信号を出力し、蓄電池の電圧が所定の第２の値を下回って低下すると制御装置のソフトウェアを非活性化し、蓄電池の電圧が所定の第３の値を下回って低下すると制御装置のハードウェアを非活性化するようにしてもよい。
【００２８】
実際には、１．２ボルトの電圧および４０００ｍＡｈの容量を有する５個のＡＡＡ電池からなる蓄電池デバイスで成し遂げられる動作時間は、例えば、３アンペアの最大加熱電流で約１時間から２時間であり、このことは、本発明が制限なく、日常の使用に適していることを意味する。
【発明を実施するための最良の形態】
【００２９】
以下、添付の図面を参照しながら、いくつかの実施形態を記載することによって本発明について説明する。
【００３０】
図１に例示される本発明による制御装置１の実施形態では、電気的に加熱可能なヘアカット用はさみおよびカミソリを動作させるためのすべての電気デバイスが携帯型ハウジングに一体化されている。制御装置は、マイクロプロセッサ７を備え、マイクロプロセッサ７は、入力デバイス１２、記憶デバイス１１、音響警告デバイス８、ＬＥＤデバイス９、およびＬＣＤ表示デバイス１０に接続されている。マイクロプロセッサ７は、電源回路デバイス３を制御する。蓄電池２の出力は、電源回路デバイス３を用いて、加熱電流接続部５ａおよび６ａに接続される。これらの加熱電流接続部は、インターフェースデバイス４の一部であり、インターフェースデバイス４は、本実施形態では、美容師用カッティングツールがそれぞれに接続される２つの接続デバイス５、６を有する。このため、接続デバイス５、６はそれぞれ、加熱電流接続部５ａまたは６ａ、および温度センサ接続部５ｂまたは６ｂを有する。加熱電流Ｉ１およびＩ２は、電流測定デバイスにおいてそれぞれ検出され、電流測定デバイスは、測定された加熱電流に比例する電圧を出力し、マルチプレクサ１４を介してこの電圧をＡ／Ｄコンバータ１３に与える。Ａ／Ｄコンバータ１３は、対応するディジタル値をマイクロプロセッサ７に転送する。さらに、蓄電池電圧Ｕは、温度センサ接続部５ｂ、６ｂのそれぞれの出力抵抗に依存する、抵抗測定デバイス１５ａ、１５ｂが発する電圧と同様に、マルチプレクサ入力の１つに直接存在する。電源回路デバイス３は、第１の制御リード線ＳＴ１を介してマイクロプロセッサ７によって制御され、マルチプレクサは、第２の制御リード線ＳＴ２を介して制御される。例示を明確にするため、電池電圧を介した個々の電気構成要素への電力の供給は図示されていない。
【００３１】
以下、本発明による制御デバイス１の動作モードについて説明する。このため、一対のヘアカット用はさみが接続デバイス５に接続され、一対のスタイリング用はさみが接続デバイス６に接続されていると想定する。
【００３２】
制御装置をオンにした後、マイクロプロセッサ７は、初期化モードで動作する。初期化モードでは、電源回路デバイス３は、まず蓄電池電圧Ｕを出力Ｏ１に与えるように、制御リード線ＳＴ１を介して、マイクロプロセッサ７によって起動される。制御リード線ＳＴ２を介して、プロセッサは、マルチプレクサ１４を活性化し、蓄電池電圧をアナログ−ディジタルコンバータ１３に転送する。アナログディジタルコンバータ１３は、蓄電池電圧をディジタル値の形態でマイクロプロセッサ７に与える。この後、マルチプレクサ１４が活性化され、電流測定デバイス１６ａからの電圧信号をＡ／Ｄコンバータ１３に与える。Ａ／Ｄコンバータ１３は、関連したディジタル値をマイクロプロセッサ７に与える。加熱電流Ｉ２（０ではない）が流れると、マイクロプロセッサは、顧客が接続デバイス６に接続されていることを認識する。この後、電源回路デバイスのスイッチは、固定位置Ｏ２に戻され、接続デバイス６に接続された美容師用カッティングツールは、意図せずに加熱されることはない。プロセッサ７は、測定された蓄電池電圧Ｕおよび加熱電流Ｉ２を用いて加熱電流接続部６ａの出力抵抗値を計算する。この出力抵抗値は、接続デバイス６とカッティングツールとの間で用いられるケーブルの抵抗値を含む、接続デバイス６に接続されたカッティングツールの熱抵抗に対応する。マイクロプロセッサは、判定された値を、記憶デバイス１１に格納されている抵抗値と比較する。記載の実施形態では、ヘアカット用はさみの熱抵抗は、約２オームであり、カミソリの熱抵抗は、約２．５オームであり、スタイリング用はさみの熱抵抗は、約１．５オームである。１５０ミリオームおよび３００ミリオームの抵抗値を有する２つの長さのケーブルは、本発明による制御装置および加熱可能な美容師用カッティングツールを接続するために用いられる。上記の値はすべて記憶デバイス１１に格納される。判定された抵抗値を格納されている抵抗値と比較することにより、マイクロプロセッサは、どの美容師用カッティングツールおよびどのケーブルが接続デバイス６に接続されているのかを明確に認識し、得られる動作パラメータをロードまたは計算し、これらをプロセッサ内のメモリに保存する。これらの動作パラメータは、例えば、加熱手順についてのオン時間およびオフ時間の信号比を含む。信号比を特定することにより、蓄電池の負荷が制限され、接続デバイスの出力抵抗値に適応される。接続デバイス６および判定されたケーブルに接続されたヘアカット用はさみは、制御装置１のＬＣＤモニタ９上に表示される。
【００３３】
この後、デバイス５およびデバイス５に接続されたスタイリング用はさみを接続するために同じ手順が実行され、ケーブルを含む判定されたスタイリング用はさみもまた、ＬＣＤモニタ上に表示され、初期化手順の終了が圧電指示器８によって示される。カッティングツールが接続デバイスのいずれにおいても検出されない場合、特殊な警報トーンシーケンスが、圧電指示器を介して出力される。
【００３４】
この時点で、ユーザには、入力デバイス１２上の両一対のはさみに対する目標温度を別個に入力し、加熱手順を開始するオプションがある。２つの加熱電流接続部５ａ、６ａに対する加熱モードは、赤色ＬＥＤ９によって、各場合において示される。加熱段階では、各温度に依存する信号は、制御リード線ＳＴ２を介して、プロセッサ７によって連続して要求される。これに関連して、はさみの各対には、刃の近傍に配置された抵抗器があり、その抵抗値は、刃の温度に依存する。ＮＴＣサーミスタとしても知られているこの抵抗器は、制御装置１の温度センサ接続部５ｂまたは６ｂに接続され、抵抗値測定デバイス１５ａまたは１５ｂによって検出される。抵抗値測定デバイス１５ａまたは１５ｂは、測定された抵抗値に比例する電圧を、マルチプレクサ１４を介してＡ／Ｄコンバータ１３に出力する。記憶デバイス１１にも格納される、用いられるＮＴＣサーミスタの抵抗特性に基づいて、マイクロプロセッサ７は、温度偏差を計算し、電源回路デバイス３におけるスイッチを、制御リード線ＳＴ１を介して活性化する。温度は、プロセッサ７内のプログラムを実行することにより上記のようにして得られ、プログラムは、線形制御デバイス、微分制御デバイス、および積分制御デバイスのソフトウェア表記を含む。これにより、問題のはさみの実際の温度は、できるだけ迅速に、設定された目標温度に確実に調整される。目標温度に到達すると、各接続デバイスに割り当てられた緑色ＬＥＤ９が活性化される。
【００３５】
上記のように、適切な休止期間および加熱期間を設定することにより、平均加熱電流が、接続された美容師用カッティングツールおよびケーブルの関数として定義される場合、２つの加熱抵抗器の１つだけに、所定の時間に関連した加熱電流が供給される。例えば、蓄電池が完全に充電されているとき、２オームの抵抗値を有するヘアカット用はさみおよび３００ミリオームの抵抗値を有する最も短いケーブルは、各２００ミリ秒の加熱期間および休止期間で動作され、これは、約１．５Ａの平均加熱電流に対応する。
【００３６】
本発明の実施形態によると、加熱電流接続部５ａ、６ａには、各目標温度に到達するまで、所定の仕方で加熱電流が連続して供給される。例えば、接続部５ａには、所定の目標温度に到達するまで、所定の加熱期間および休止期間を考慮して、特定の加熱電流が供給される。この後、加熱接続部６ａには、特定の加熱電流が供給される。接続デバイス６に割り当てられた目標温度に到達すると、システムは、接続デバイス５に切り替えられる。
【００３７】
本発明の他の実施形態では、温度が目標温度よりもはるかに低い美容師用カッティングツールには、関連した加熱電流が供給される。
【００３８】
図１に示す本発明の実施形態では、蓄電池２は、充電回路１８に接続され、充電回路１８は、電源接続部１７によって外部電源に接続されている。本発明の他の実施形態では、制御装置１は、蓄電池ホルダーを有し、ここから、消耗された電池が除去され、充電された電池が挿入される。商用電源電圧に接続するための電源接続部１７は、蓄電池が除去されたとしても、電気構成要素に電圧が供給され、加熱電流が得られるように配線されている。蓄電池を保護するために、電圧が５．２Ｖ未満に低下すると音響警告信号が発せられ、電圧が５Ｖ未満に低下すると、加熱電流は、電源回路デバイス３を非活性化することにより、ソフトウェアによってオフにされ、蓄電池電圧が４．３Ｖ未満に低下すると制御装置全体は、図示されていない装置によってハードウェアでオフにされる。
【００３９】
本発明の他の実施形態では、蓄電池、電源回路デバイス、およびインターフェースデバイスのみが、加熱可能なカッティングツールとは別個の携帯型可動ユニットに一体化され、入力デバイス、記憶デバイス、および指示デバイスを有するマイクロプロセッサ７は、固定ハウジングに収容され、固定ユニットは、無線インターフェースを介して可動ユニットと通信する。上記実施形態のように、可動ユニットは、美容師が装着するベルトに取り付けるための留め具を有し、加熱可能なはさみは、ケーブルにより可動ユニットに接続されている。電源回路デバイスおよびマルチプレクサを活性化させるための制御パルスは、無線インターフェースを介して可動ユニットに送信され、Ａ／Ｄコンバータのディジタル化値は、可動ユニットから制御装置に送信される。
【図面の簡単な説明】
【００４０】
【図１】本発明による制御装置のブロック図
【符号の説明】
【００４１】
１  制御装置
２  蓄電池
３  電源回路デバイス／スイッチングデバイス
４  インターフェースデバイス
５、６  接続デバイス
５ａ、６ａ  加熱電流接続部
５ｂ、６ｂ  温度センサ接続部
７  コントローラ／マイクロプロセッサ
Ｉ  電源回路デバイスの入力
Ｏ１、０３  電源回路デバイスの出力
Ｏ２  電源回路デバイスの固定位置
８、９、１０  指示デバイス／表示手段
１１  記憶デバイス
１２  入力デバイス
１３  Ａ／Ｄコンバータ
１４  マルチプレクサ
１５ａ、１５ｂ  抵抗測定デバイス
１６ａ、１６ｂ  電流測定デバイス
１７  電源接続部
１８  充電回路
Ｉ１、Ｉ２  加熱電流
Ｕ  蓄電池電圧
ＳＴ１  電源回路デバイスへの制御信号
ＳＴ２  マルチプレクサへの制御信号
【国際公開パンフレット】
2004524939.tif 000003
2004524939.tif 000004
2004524939.tif 000005
2004524939.tif 000006
2004524939.tif 000007
2004524939.tif 000008
2004524939.tif 000009
2004524939.tif 000010
2004524939.tif 000011
2004524939.tif 000012
2004524939.tif 000013
2004524939.tif 000014
2004524939.tif 000015
2004524939.tif 000016
2004524939.tif 000017
2004524939.tif 000018
2004524939.tif 000019
2004524939.tif 000020
2004524939.tif 000021
2004524939.tif 000022
2004524939.tif 000023
2004524939.tif 000024
2004524939.tif 000025
【手続補正書】
【提出日】平成15年4月1日(2003.4.1)
【手続補正１】
【補正対象書類名】明細書
【補正対象項目名】０００７
【補正方法】変更
【補正の内容】
【０００７】
電気的に加熱可能なカッティング器具は、ＤＥ２００  １３  ５０３Ｕ１から既知であり、この器具は、ピボットを介して連接形態で互いに接続され、それぞれが、グリップエリアとカッティングエリアとを有する２つの脚部、および電源ユニットを備え、商用電源とは独立した蓄電池などの電源は、１つの脚部のグリップエリアに接続される。蓄電池は、脚部に直接装着されるか、またはカッティング器具のユーザがポケットに入れて携帯するポケットタイプの蓄電池として設計され、カッティング器具および蓄電池は、ケーブルを介して接続されている。また、カッティング器具の脚部には、加熱電流を調整するための電子温度分析器が装着されている。米国特許第５，３０９，６４０号には、毛髪をカットしている間に、同時に毛髪の先端を焼灼することが可能な一対のはさみなどのヘアカッティング器具が開示されている。このため、はさみには、少なくとも１つの電気的に加熱可能な刃があり、熱抵抗器が、対応するカッティングエッジに対する刃のホルダー部のくぼみに挿入される。熱センサは、カッティングエッジの少なくとも１つに固定される。はさみの両方の刃が電気的に加熱される場合、熱抵抗器は、並列または直列に電気接続される。ケーブルが、商用電源で動作する電源ユニットとの接続をもたらす。


【手続補正２】
【補正対象書類名】明細書
【補正対象項目名】００１０
【補正方法】変更
【補正の内容】
【００１０】
従って、いくつかの加熱可能な美容師用カッティングツール用の本発明による制御装置は、少なくとも１つの加熱可能な美容師用カッティングツールと、電気エネルギーを供給する手段と、制御デバイスと、記憶デバイスと、少なくとも１つの所定の動作パラメータを入力する手段と、加熱電流を供給する電源回路と、少なくとも１つの加熱可能な美容師用カッティングツールを接続することができ、電源回路からの電流を流すことができるインターフェースデバイスと、少なくとも１つの美容師用カッティングツールの実際の温度に割り当てることができる電気信号を検出する手段とを備える。制御デバイスは、加熱電流を供給するために、美容師用カッティングツールの所定の目標温度に応じて電源回路を駆動させる。美容師がさらに自由に移動することができ、けがまたは装置への損傷の危険を防止するため、電気エネルギーを供給する少なくとも１つの手段、電源回路デバイス、および加熱可能なカッティングツールとは別個の携帯型可動ユニットに一体化されるインターフェースデバイスが設けられている。加熱可能な美容師用カッティングツールを用いた作業を容易にするため、本発明は、数個の加熱可能な美容師用カッティングツールを接続するように設計されたインターフェースデバイスを提供し、接続デバイスは、各美容師用カッティングツールに対して設けられ、これを介して、各美容師カッティングツールを加熱するための電源回路デバイスから電流を流すことができる。




【手続補正書】
【提出日】平成15年7月1日(2003.7.1)
【手続補正１】
【補正対象書類名】特許請求の範囲
【補正対象項目名】全文
【補正方法】変更
【補正の内容】
【特許請求の範囲】
【請求項１】
いくつかの加熱可能な美容師用カッティングツールのための制御装置であって、
電気エネルギーを供給する手段と、
コントローラと、
少なくとも１つの所定の動作パラメータ、特に、前記美容師用カッティングツールの目標温度を入力する手段と、
加熱電流を供給する電源回路デバイスと、
少なくとも１つの美容師用カッティングツールを加熱するために、前記少なくとも１つの加熱可能な美容師用カッティングツールが接続され、前記電源回路からの電気エネルギーを通過させるインターフェースデバイスと、
前記少なくとも１つの美容師用カッティングツールの実際の温度に割り当てられる電気信号を検出する手段とを備え、
前記コントローラは、前記所定の目標温度に応じて、前記電源回路デバイスを活性化して前記加熱電流を供給させ、前記電気エネルギーを供給する手段および前記インターフェースデバイス（４）は、ユーザが装着する可動ユニットに、前記加熱可能なカッティングツールとは別個に一体化された制御装置であって、
前記電源回路デバイス（３）は、前記可動ユニットに一体化され、前記インターフェースデバイス（４）は、数個の加熱可能な美容師用カッティングツールを同時に接続するように設計され、各美容師用カッティングツールに対して接続デバイス（５、６）が含まれ、前記接続デバイス（５、６）を介して、前記各美容師用カッティングツールを加熱するための電流が前記電源デバイス（４）から渡され、さらに、前記加熱電流は、スイッチングデバイスによって前記接続デバイス（５、６）のうちの１つに切り替えられることを特徴とする制御装置。
【請求項２】
前記電気エネルギーを供給する手段は、蓄電池として設計され、前記コントローラ（７）は、前記実際の温度に応じて、前記関連した美容師用カッティングツール用の前記加熱電流を調整し、前記美容師用カッティングツールに割り当てられる目標温度を設定することを特徴とする請求項１記載の制御装置。
【請求項３】
前記制御装置（１）全体は、ユーザが装着する可動ユニットとして設計される請求項１または２記載の制御装置。
【請求項４】
エアインターフェース、特に、無線インターフェースを介して前記可動ユニットと通信する固定ユニットを備え、前記電源回路を制御するためのデータが、前記固定ユニットから前記可動ユニットに前記無線インターフェースを介して送信されることを特徴とする請求項１または２記載の制御装置。
【請求項５】
美容師用カッティングツールの温度に関するデータが、前記無線インターフェースを介して、前記可動ユニットから前記固定ユニットに送信されることを特徴とする請求項４記載の制御装置。
【請求項６】
前記実際の温度に関連する信号が、前記各接続デバイス（５、６）を介して、前記各美容師用カッティングツールから渡されることを特徴とする請求項１から５のいずれか一項記載の制御装置。
【請求項７】
前記接続デバイス（５、６）は、特に、加熱電流および前記実際の温度に関連する信号を通過させる単一の電気リード線を有する単一のコネクタを備えたことを特徴とする請求項１から６のいずれか一項記載の制御装置。
【請求項８】
前記可動ユニットは、ベルトまたはホルスターに取り付けるための留め具を備えたことを特徴とする請求項１から７のいずれか一項記載の制御装置。
【請求項９】
前記目標温度の加熱段階および／または到達を、前記各美容師用カッティングツールに対して示す指示器を備えたことを特徴とする請求項１から８のいずれか一項記載の制御装置。
【請求項１０】
前記インターフェースを介して通過する前記加熱電流および／または前記インターフェースにおける電圧を検出する手段を備えたことを特徴とする請求項１から９のいずれか一項記載の制御装置。
【請求項１１】
前記インターフェースに接続された前記カッティングツールの抵抗値を検出する手段を備え、接続されるカッティングツールのタイプが、検出された抵抗値の関数として判定されることを特徴とする請求項１から１０のいずれか一項記載の制御装置。
【請求項１２】
前記インターフェースを介して通過する電力を検出する手段を備えたことを特徴とする請求項１から１１のいずれか一項記載の制御装置。
【請求項１３】
いくつかの加熱可能な美容師用カッティングツールが同時に接続され、前記美容師用カッティングツールを加熱するための電気エネルギーを通過させるインターフェースデバイスを用いて、前記加熱可能な美容師用カッティグツールのための制御装置を動作させる、特に、請求項１から１２のいずれか一項記載の制御装置を動作させる方法であって、
前記インターフェースデバイス（４）を介して通過する電流、および／または電圧を検出し、数個の加熱可能な美容師用カッティングツールに、単一の電源回路によって加熱電流を供給し、前記美容師用カッティングツールの１つにのみ、任意の時点において、前記各カッティングツールに割り当てられた加熱電流を供給する、または前記美容師用カッティングツールのいずれにも加熱電流を供給しないことを特徴とする方法。
【請求項１４】
前記インターフェースの出力抵抗値を判定することを特徴とする請求項１３記載の方法。
【請求項１５】
格納された抵抗値と前記判定された抵抗値の比較に応じて、所定のカッティングツールに割り当てられた所定の動作パラメータを設定する請求項１４記載の方法。
【請求項１６】
前記ケーブル内に放散される電力を考慮するために、前記インターフェースに接続されたケーブルの抵抗値を判定し、前記所定の動作パラメータは、前記ケーブルの抵抗値に適応されることを特徴とする請求項１５記載の方法。
【請求項１７】
前記美容師用カッティングツールには、それぞれ、目標温度が割り当てられ、前記接続された美容師用カッティングツールの実際の温度を判定し、少なくとも１つの美容師用カッティングツールの温度が前記目標温度よりも所定値だけ低い場合、加熱電流を、前記各目標温度からの最大の瞬間偏差を示す美容師用カッティングツールに供給することを特徴とする請求項１３から１６のいずれか一項記載の方法。
【請求項１８】
前記蓄電池電圧が所定の第１の値だけ所定の最小電圧よりも低下した場合、音響および／または光信号を出力し、前記蓄電池電圧が所定の第２の値だけ低下した場合、前記制御装置（１）のソフトウェアを非活性化し、前記蓄電池電圧が所定の第３の値だけ低下した場合、前記制御装置（１）のハードウェアを非活性化することを特徴とする請求項１３から１７のいずれか一項記載の方法。
【手続補正２】
【補正対象書類名】明細書
【補正対象項目名】００１０
【補正方法】変更
【補正の内容】
【００１０】
従って、いくつかの加熱可能な美容師用カッティングツール用の本発明による制御装置は、少なくとも１つの加熱可能な美容師用カッティングツールと、電気エネルギーを供給する手段と、制御デバイスと、記憶デバイスと、少なくとも１つの所定の動作パラメータを入力する手段と、加熱電流を供給する電源回路と、少なくとも１つの加熱可能な美容師用カッティングツールを接続することができ、電源回路からの電流を流すことができるインターフェースデバイスと、少なくとも１つの美容師用カッティングツールの実際の温度に割り当てることができる電気信号を検出する手段とを備える。制御デバイスは、加熱電流を供給するために、美容師用カッティングツールの所定の目標温度に応じて電源回路を駆動させる。美容師がさらに自由に移動することができ、けがまたは装置への損傷の危険を防止するため、少なくとも電気エネルギーを供給する手段、電源回路デバイス、および加熱可能なカッティングツールとは別個に、ユーザが装着する可動ユニットに一体化されるインターフェースデバイスが設けられている。加熱可能な美容師用カッティングツールを用いた作業を容易にするため、本発明は、数個の加熱可能な美容師用カッティングツールを同時に接続するように設計されたインターフェースデバイスを提供し、接続デバイスは、各美容師用カッティングツールに対して設けられ、この接続デバイスを介して電流を、各美容師カッティングツールを加熱するために、電源回路デバイスから流すことができ、さらに、加熱電流は、スイッチングデバイスによって接続デバイスのうちの１つに切り替えることができる。




【国際調査報告】
2004524939.tif 000026
2004524939.tif 000027
2004524939.tif 000028
2004524939.tif 000029
2004524939.tif 000030
2004524939.tif 000031